(57)【要約】【課題】安価な構成でスリープ時の消費電力を削減すると共に、商用交流電源からの過電圧が入力されると保護動作を行い、通常電圧に戻ると保護動作から自動復帰すること。【解決手段】交流電源の交流電圧から直流電圧を生成し、負荷に出力する常夜電源２８及び非常夜電源２９と、交流電源の過電圧を検知する過電圧検知回路３１と、交流電源と非常夜電源２９との接続又は切断を行うトライアック５０と、常夜電源２８と非常夜電源２９とを接続し、非常夜電源２９から常夜電源２８へ電力を補充する充電回路３６と、常夜電源２８及び非常夜電源２９を制御する制御部２７と、を備え、制御部２７は、過電圧検知回路３１が過電圧を検知すると、トライアック５０を切断して交流電源から非常夜電源２９への電力供給を遮断し、交流電圧が通常電圧に戻るとトライアック５０を接続する。【選択図】図２
2018057104.tif 000002
【特許請求の範囲】
【請求項１】
交流電源の交流電圧から直流電圧を生成する電源装置であって、
前記交流電圧を整流及び平滑する第一の整流平滑部と、前記第一の整流平滑部の出力から第一の電圧を生成し、接続された負荷に出力する第一のコンバータ部と、を有する第一の電源部と、
前記交流電圧を整流及び平滑する第二の整流平滑部と、前記第二の整流平滑部の出力から前記第一の電圧とは異なる第二の電圧を生成し、接続された負荷に出力する第二のコンバータ部と、を有する第二の電源部と、
前記交流電源から所定の電圧以上の交流電圧が入力されたことを検知する検知手段と、
前記交流電源と前記第二の整流平滑部との接続又は切断を行うスイッチ手段と、
前記第一の電源部の前記第一の整流平滑部と前記第二の電源部の第二の整流平滑部とを接続し、前記第二の電源部から前記第一の電源部へ電力を補充する補充手段と、
前記第一の電源部及び前記第二の電源部を制御する制御手段と、
を備え、
前記制御手段は、前記検知手段が前記所定の電圧以上の交流電圧が入力されたことを検知すると前記スイッチ手段を切断して前記交流電圧の前記第二の電源部への入力を遮断し、前記交流電圧が前記所定の電圧より下がると、前記スイッチ手段を接続することを特徴する電源装置。
【請求項２】
前記制御手段は、前記スイッチ手段を切断し、前記第一のコンバータ部から電圧を前記負荷に出力する前記第一の状態と、前記スイッチ手段を接続して、前記第一のコンバータ部からは電圧を前記負荷に出力し、前記第二のコンバータ部からは電圧を出力しない第二の状態と、前記スイッチ手段を接続して、前記第一のコンバータ部及び前記第二のコンバータ部から電圧を前記負荷に出力する第三の状態と、を切替えることを特徴とする請求項１に記載の電源装置。
【請求項３】
前記第二の整流平滑部は、ダイオードブリッジと第二のコンデンサとを有することを特徴とする請求項２に記載の電源装置。
【請求項４】
前記第二のコンデンサは、電解コンデンサであることを特徴とする請求項３に記載の電源装置。
【請求項５】
前記第一の整流平滑部は、交流電圧を全波整流するためのダイオードブリッジと第一のコンデンサとを有することを特徴とする請求項４に記載の電源装置。
【請求項６】
前記第一のコンデンサは、フィルムコンデンサ又はセラミックコンデンサであることを特徴とする請求項５に記載の電源装置。
【請求項７】
前記第一の整流平滑部の前記第一のコンデンサの容量は、前記第二の整流平滑部の前記第二のコンデンサの容量よりも小さいことを特徴とする請求項６に記載の電源装置。
【請求項８】
前記第一の整流平滑部は、交流電圧を半波整流するための第三のダイオード及び第四のダイオードを有することを特徴とする請求項４に記載の電源装置。
【請求項９】
前記制御手段は、前記第一の状態において前記第一のコンバータ部に接続された負荷が所定の負荷よりも重い場合には、前記第二の状態に切替えることを特徴とする請求項８に記載の電源装置。
【請求項１０】
前記補充手段は、第一のダイオード及び第二のダイオードを有し、
前記第一のダイオードは、カソード端子が前記第一の整流平滑部の出力の高電位側に接続され、アノード端子が前記第二の整流平滑部の出力の高電位側に接続され、
前記第二のダイオードは、カソード端子が前記第二の整流平滑部の出力の低電位側に接続され、アノード端子が前記第一の整流平滑部の出力の低電位側に接続されることを特徴とする請求項２から請求項９のいずれか１項に記載の電源装置。
【請求項１１】
前記検知手段により検知される前記交流電圧は、前記第一の整流平滑部から出力される直流電圧であることを特徴とする請求項２から請求項１０のいずれか１項に記載の電源装置。
【請求項１２】
前記検知手段は、ツェナーダイオードを有することを特徴とする請求項１１に記載の電源装置。
【請求項１３】
前記所定の電圧は、前記ツェナーダイオードのツェナー電圧であることを特徴とする請求項１２に記載の電源装置。
【請求項１４】
前記制御手段は、前記交流電圧が前記所定の電圧よりも下がった状態が所定の時間以上続くと、前記第一の状態に切り替わる前の状態に切替えることを特徴とする請求項１１から請求項１３のいずれか１項に記載の電源装置。
【請求項１５】
前記所定の時間は、前記交流電源の電源周波数の２周期分以上の時間であることを特徴とする請求項１４に記載の電源装置。
【請求項１６】
シートに画像形成を行う画像形成手段を有する画像形成装置であって、
前記画像形成装置に電力を供給する請求項１から請求項１５のいずれか１項に記載の電源装置を備えることを特徴とする画像形成装置。
【請求項１７】
シートに画像形成を行う画像形成手段と、
前記画像形成手段を制御するコントローラと、
を備える画像形成装置であって、
前記画像形成装置に電力を供給する請求項１から請求項１５のいずれか１項に記載の電源装置を備えることを特徴とする画像形成装置。
【請求項１８】
前記制御手段は、前記コントローラであることを特徴とする請求項１７に記載の画像形成装置。
【発明の詳細な説明】
【技術分野】
【０００１】
本発明は、常夜電源及び非常夜電源を備える電源装置、及びその電源装置を備える画像形成装置に関する。
【背景技術】
【０００２】
近年、省エネルギー化の要求の高まりに伴い、様々な電気機器において省エネルギー化を実現するために、装置の消費電力の削減が求められている。商用交流電源から直流電圧を生成する電源装置を搭載した画像形成装置でも同様に、省動作モード時には消費電力を削減することが求められている。例えば、特許文献１では、省動作モード時には商用電源と主電源回路との接続を遮断して、漏れ電流による余分な電力消費を防止する技術が提案されている。
【先行技術文献】
【特許文献】
【０００３】
【特許文献１】特開２００３−２４４９４９号公報
【発明の概要】
【発明が解決しようとする課題】
【０００４】
しかしながら、画像形成装置に搭載される電源装置については、上述した省エネルギー性に加えて、商用交流電源から過電圧が入力された際には回路部品を過電圧から保護する保護動作を行い、通常の電圧に戻ると保護動作から自動復帰することが望まれている。
【０００５】
本発明は、このような状況のもとでなされたもので、安価な構成でスリープ時の消費電力を削減すると共に、商用交流電源からの過電圧が入力されると保護動作を行い、通常電圧に戻ると保護動作から自動復帰することを目的とする。
【課題を解決するための手段】
【０００６】
前述の課題を解決するために、本発明は、以下の構成を備える。
【０００７】
（１）交流電源の交流電圧から直流電圧を生成する電源装置であって、前記交流電圧を整流及び平滑する第一の整流平滑部と、前記第一の整流平滑部の出力から第一の電圧を生成し、接続された負荷に出力する第一のコンバータ部と、を有する第一の電源部と、前記交流電圧を整流及び平滑する第二の整流平滑部と、前記第二の整流平滑部の出力から前記第一の電圧とは異なる第二の電圧を生成し、接続された負荷に出力する第二のコンバータ部と、を有する第二の電源部と、前記交流電源から所定の電圧以上の交流電圧が入力されたことを検知する検知手段と、前記交流電源と前記第二の整流平滑部との接続又は切断を行うスイッチ手段と、前記第一の電源部の前記第一の整流平滑部と前記第二の電源部の第二の整流平滑部とを接続し、前記第二の電源部から前記第一の電源部へ電力を補充する補充手段と、前記第一の電源部及び前記第二の電源部を制御する制御手段と、を備え、前記制御手段は、前記検知手段が前記所定の電圧以上の交流電圧が入力されたことを検知すると前記スイッチ手段を切断して前記交流電圧の前記第二の電源部への入力を遮断し、前記交流電圧が前記所定の電圧より下がると、前記スイッチ手段を接続することを特徴する電源装置。
【０００８】
（２）シートに画像形成を行う画像形成手段を有する画像形成装置であって、前記（１）に記載の電源装置を備えることを特徴とする画像形成装置。
【０００９】
（３）シートに画像形成を行う画像形成手段と、前記画像形成手段を制御するコントローラと、を備える画像形成装置であって、前記画像形成装置に電力を供給する前記（１）に記載の電源装置を備えることを特徴とする画像形成装置。
【発明の効果】
【００１０】
本発明によれば、安価な構成でスリープ時の消費電力を削減すると共に、商用交流電源からの過電圧が入力されると保護動作を行い、通常電圧に戻ると保護動作から自動復帰することとができる。
【図面の簡単な説明】
【００１１】
【図１】実施例１、２の画像形成装置の構成を示す断面図
【図２】実施例１、２の電源装置の構成を示す機能ブロック図
【図３】実施例１の電源装置の回路構成図
【図４】実施例１の電源装置の２つの動作モード時の電圧波形を説明する図
【図５】実施例１の電源装置の過電圧印加時の電圧波形を説明する図
【図６】実施例１の電源装置の制御シーケンスを示すフローチャート
【図７】実施例２の電源装置の回路構成図
【図８】実施例２の電源装置のスリープモード時の電圧波形を説明する図
【発明を実施するための形態】
【００１２】
以下、図面を用いて本発明の実施の形態について説明する。
【実施例１】
【００１３】
［画像形成装置の構成］
図１は、実施例１の電源装置１を備えた電気機器の一例である画像形成装置２の概略構成を示す断面図である。画像形成装置２は、制御部２７の制御により、電源装置１から供給される電力により各種アクチュエータ（後述する図２参照）やセンサ、制御部等を動作させて、記録紙３（シートともいう）へのプリント動作を行う。画像形成装置２は、記録紙３を収納する給紙カセット４を備えており、更に記録紙３の有無を検知する用紙有無センサ５と、記録紙３の大きさを検知する用紙サイズセンサ６を有する。また、画像形成装置２は、給紙カセット４に積載された記録紙３を給送するピックアップローラ７と、ピックアップローラ７によって給送された記録紙３を搬送する給紙ローラ８と、記録紙３を１枚だけ給紙するためのリタードローラ９を備えている。そして、レジストレーションローラ１０は、給紙ローラ８により搬送される記録紙３に、後述する感光ドラム１５上に形成されたトナー像を転写するために、所定のタイミングで記録紙３を転写ローラ２０へ搬送する。
【００１４】
画像形成手段であるプロセスカートリッジ１１は、帯電ローラ１２、現像ローラ１３、クリーナ１４及び感光ドラム１５で、一体的に構成されている。感光ドラム１５の表面は、帯電ローラ１２によって一様に帯電された後、露光手段であるスキャナユニット１６によって画像信号に基づいた静電潜像が形成される。スキャナユニット１６は、レーザ光を出射するレーザダイオード１７と、レーザ光を偏向する回転多面鏡１８と、回転多面鏡１８によって偏向されたレーザ光を感光ドラム１５の表面へと反射させる反射ミラー１９を備えている。レーザダイオード１７から出射されるレーザ光は、感光ドラム１５を用紙搬送方向と直交する主走査方向に、また、感光ドラム１５の回転によって用紙搬送方向に平行な副走査方向に走査し、感光ドラム１５の表面上に二次元の静電潜像を形成する。スキャナユニット１６は、レーザ光をパルス状に変調することにより、感光ドラム１５上に様々な形状の静電潜像を形成することができる。パルス状の変調データは、ラスタデータと呼ばれる。画像形成装置２のコントローラ８１（図２参照）は外部装置（不図示）からプリントデータを受信すると、プリントデータを処理しラスタデータを生成する。
【００１５】
続いて、現像ローラ１３は、感光ドラム１５上に形成された静電潜像にトナーを付着させてトナー像として可視化する。転写ローラ２０は、感光ドラム１５上のトナー像をレジストレーションローラ１０から搬送されてきた記録紙３に転写する。トナー像が転写された記録紙３は定着装置２１に搬送され、定着装置２１は記録紙３を加熱、加圧処理し、記録紙３上の未定着トナー像を記録紙３に定着させる。そして、トナー像が定着された記録紙３は、中間排紙ローラ２２、排紙ローラ２３により画像形成装置２の機外に排出され、一連のプリント動作が終了する。なお、レジ前センサ２４、定着排紙センサ２５、排紙センサ２６は、記録紙３の搬送状態を監視するセンサである。
【００１６】
画像形成装置２は、以下に述べる３つの動作モード、即ち、プリントモード、スタンバイモード、スリープモードを備えている。まず、第三の状態であるプリントモードは、画像形成装置２がプリント動作を行うときの動作モードである。第二の状態であるスタンバイモードは、画像形成装置２が外部装置よりプリントデータを受信すると即座にプリントモードへ移行するように待機している場合の動作モードである。第一の状態であるスリープモードは、画像形成装置２の消費電力の削減を目的とする動作モードである。画像形成装置２が電源オンされた状態での各動作モードが占める時間割合のうち、スリープモードが占める時間割合が最も大きいため、スリープモード時の消費電力の削減が、画像形成装置２全体の消費電力の削減に大きく寄与する。
【００１７】
［電源装置の構成］
次に、電源装置１の構成と動作について、以下に説明する。図２は、本実施例の電源装置１を構成するユニット、及び電源装置１に接続されている画像形成装置２の主なユニットを示す機能ブロック図である。電源装置１は、画像形成装置２の制御を行う制御部２７等の制御系負荷へ電力を供給する常夜電源２８と、画像形成装置２の駆動を行うアクチュエータ３７等へ電力を供給する非常夜電源２９の２つの電源ユニットで構成されている。常夜電源２８と非常夜電源２９は、常夜電源２８が供給する電力が不足した場合に非常夜電源２９から電力供給できるように、補充手段である充電回路３６を介して一次側で接続されている。
【００１８】
画像形成装置２に設けられた制御部２７は、ＣＰＵ２７ａ、ＲＯＭ２７ｂ、ＲＡＭ２７ｃ、タイマ２７ｄを有している。ＣＰＵ２７ａは、ＲＯＭ２７ｂに格納された制御プログラム等に基づいて、画像形成装置２の画像形成動作や電源装置１の動作を制御する。ＲＡＭ２７ｃは、ＣＰＵ２７ａの主メモリ、ワークエリア等として使用される。タイマ２７ｄは、時間を計測するために使用される。なお、本実施例では、電源装置１を画像形成装置２に設けられた制御部２７が制御しているが、電源装置１に制御部を設け、この制御部が電源装置１を制御する構成でもよい。また、コントローラ８１は、外部装置からプリントデータを受信すると制御部２７にプリント命令を送信したり、負荷状態に応じて動作モードの切替えを指示したりする。アクチュエータ３７は、プリント命令の実行に伴い駆動されるモータ等の駆動系負荷であり、各駆動系負荷を総称してアクチュエータ３７としている。
【００１９】
まず、常夜電源２８の構成及び動作について説明する。第一の電源部である常夜電源２８は、第一の整流平滑部である一次整流平滑回路３０、第一のコンバータ部であるＤＣＤＣコンバータ３２、検知手段である過電圧検知回路３１を備えている。一次整流平滑回路３０は、商用交流電源３８から入力される交流電圧を直流電圧に変換する。ＤＣＤＣコンバータ３２には、一次整流平滑回路３０から入力される直流電圧から第一の電圧である直流電圧を生成し、二次側の制御部２７等の制御系負荷に出力する。過電圧検知回路３１は、一次整流平滑回路３０から出力される直流電圧が過電圧であることを検知した場合には、制御部２７に検知信号を出力する。
【００２０】
続いて、非常夜電源２９の構成と動作について説明する。第二の電源部である非常夜電源２９は、スイッチ手段である双方向サイリスタ（以下、トライアックという）５０、第二の整流平滑部である一次整流平滑回路３４、第二のコンバータ部であるＤＣＤＣコンバータ３５を備えている。トライアック５０は、商用交流電源３８と一次整流平滑回路３４の電力供給経路の接続切断を行いスイッチであり、制御部２７からの信号に応じて、電力供給経路の接続又は切断を行う。一次整流平滑回路３４は、トライアック５０を介して、商用交流電源３８から入力される交流電圧を直流電圧に変換する。ＤＣＤＣコンバータ３５は、一次整流平滑回路３４から入力される直流電圧から第二の電圧である直流電圧を生成し、二次側のアクチュエータ３７等の駆動系負荷に出力する。なお、ＤＣＤＣコンバータ３５は、動作モードに応じて、制御部２７からの起動信号６２により起動される。
【００２１】
［電源装置の回路構成］
図３は、図２に示す電源装置１の機能ブロック図に対応させた、電源装置１の回路構成図である。以下では、図３に示す回路の動作について説明する。
【００２２】
（常夜電源）
まず、常夜電源２８の回路構成について説明する。一次整流平滑回路３０は、ダイオードブリッジ４０、第一のコンデンサである平滑コンデンサ４１から構成されている。ダイオードブリッジ４０は、商用交流電源３８から入力される交流電圧を全波整流し、直流電圧を出力する。そして、平滑コンデンサ４１は、ダイオードブリッジ４０により整流された直流電圧を平滑する。本実施例では、平滑コンデンサ４１には、スリープモードでの消費電力を削減するため、常夜電源用として漏れ電流が少なく、電源効率の改善が見込めるフィルムコンデンサが用いられている。なお、平滑コンデンサ４１にセラミックコンデンサを用いてもよい。平滑コンデンサ４１の端子間の電圧がＤＣＤＣコンバータ３２に入力され、ＤＣＤＣコンバータ３２は、例えば３．３Ｖの電源電圧４９を生成し、制御部２７等の制御系負荷に供給する。
【００２３】
平滑コンデンサ４１により平滑された直流電圧の過電圧を検知するため、平滑コンデンサ４１の端子間に過電圧検知回路３１が接続されている。過電圧検知回路３１は、ツェナーダイオード４２と、ツェナーダイオード４２の駆動電流を制限する抵抗４３から構成されている。ツェナーダイオード４２のツェナー電圧は、過電圧と判断する所定の電圧と同じ電圧である。平滑コンデンサ４１の端子間に商用交流電源３８からの過電圧が印加されると、平滑コンデンサ４１の端子間電圧がツェナーダイオード４２のツェナー電圧以上（所定の電圧以上）になる。これにより、ツェナーダイオード４２が導通状態となり、抵抗４３に電流が流れる。常夜電源２８には、過電圧検知回路３１の検知結果を制御部２７に伝達する伝達回路が設けられている。伝達回路は、トランジスタ４４とフォトカプラ４５から構成されている。ツェナーダイオード４２が導通状態になると、トランジスタ４４のベース端子に接続されたベース抵抗４６に電流が流れ、トランジスタ４４がオン状態となる。そして、二次側へ信号を伝達するフォトカプラ４５のフォトダイオードには、電源電圧６９から電流制限抵抗４８で制限された電流が流れる。ここで、電源電圧６９は、常夜電源２８内に設けられたドライブ巻線（不図示）より生成されるＤＣＤＣコンバータ３２の電源電圧である。そして、フォトカプラ４５のフォトダイオードに電流が流れると、フォトトランジスタにも、電源電圧４９から電流制限抵抗４７で制限された電流が流れ、過電圧検知信号８２として、制御部２７へ入力される。なお、過電圧検知信号８２は、交流電圧が所定の電圧以上の間はハイレベルとなり、交流電圧が所定の電圧未満ではローレベルとなる。
【００２４】
（非常夜電源）
続いて、非常夜電源２９の回路構成について説明する。トライアック５０は、制御部２７から出力されるトライアック５０のオン／オフ信号５６に応じて、商用交流電源３８と一次整流平滑回路３４との接続・切断を行う。制御部２７から出力されるトライアック５０のオン／オフ信号５６は、抵抗５７を介してトランジスタ５２のベース端子に入力される。オン／オフ信号５６は、オン時にはハイレベル、オフ時にはローレベルの信号が制御部２７から出力される。オン／オフ信号５６はハイレベル（オン）の場合には、トランジスタ５２がオン状態となり、電源電圧４９から抵抗５４で制限された電流がフォトトライアックカプラ５１のフォトダイオードに流れる。これにより、フォトトライアックカプラ５１のフォトトライアックに電流が流れ、トライアック５０がオンし、商用交流電源３８からの交流電圧が、トライアック５０を介して一次整流平滑回路３４に入力される。なお、抵抗５４は、フォトトライアックカプラ５１のフォトダイオードに流れる電流を制限する電流制限抵抗である。また、抵抗５３は、フォトトライアックカプラ５１のフォトトライアックに流れる電流を制限する電流制限抵抗であり、抵抗５５は、トライアック５０のゲート端子をバイアスするためのゲート抵抗である。
【００２５】
一方、オン／オフ信号５６はローレベル（オフ）の場合には、トランジスタ５２はオフ状態となり、フォトトライアックカプラ５１のフォトダイオードは非導通状態となる。その結果、フォトトライアックカプラ５１のフォトトライアックには電流が流れなくなり、トライアック５０はオフする。そして、トライアック５０をオフすることによって、非常夜電源２９による消費電力の削減や、商用交流電源３８の交流電圧が過電圧の場合には、過電圧が入力されないように非常夜電源２９を保護する動作を行う。なお、保護動作の詳細については、図６で説明する。
【００２６】
次に、一次整流平滑回路３４の説明を行う。トライアック５０がオンすると、商用交流電源３８からの交流電圧が一次整流平滑回路３４に入力され、全波整流を行うダイオードブリッジ６０を介して、第二のコンデンサである平滑コンデンサ６１によって、直流電圧に変換される。なお、平滑コンデンサ６１は、フィルムコンデンサやセラミックコンデンサよりも容量が大きい電解コンデンサが用いられている。
【００２７】
続いて、ＤＣＤＣコンバータ３５をオン／オフする回路構成について説明する。ＤＣＤＣコンバータ３５をオン／オフする目的は、電源装置１の消費電力を削減するためである。しかし、ＤＣＤＣコンバータ３５がオフしても、トライアック５０がオンしていれば、商用交流電源３８に接続されている電解コンデンサを使用する平滑コンデンサ６１の漏れ電流によって、わずかに電力消費する。ＤＣＤＣコンバータ３５のオン／オフ動作は、制御部２７からのＤＣＤＣコンバータ３５を起動する起動信号６２によって制御される。その際、起動信号６２は、電気的に絶縁をする必要があるため、フォトカプラ６３を経由して、二次側から一次側へ伝達される。制御部２７からの起動信号６２は、トランジスタ６４のベース端子に接続された抵抗６６を介して、トランジスタ６４のベース端子に入力される。
【００２８】
起動信号６２は、プリントモードのようにＤＣＤＣコンバータ３５を起動する場合にはハイレベルの信号が、スリープモードやスタンバイモードのようにＤＣＤＣコンバータ３５を停止する場合にはローレベルの信号が制御部２７から出力される。起動信号６２がハイレベルの場合には、トランジスタ６４がオン状態となり、電源電圧４９から抵抗６７で制限された電流がフォトカプラ６３のフォトダイオードに流れる。これにより、フォトカプラ６３のフォトトランジスタがオン状態となり、電源電圧６９からの電流がフォトカプラ６３のフォトトランジスタを介して、抵抗６８に流れ、ＤＣＤＣコンバータ３５に設けられた起動端子６５の電圧が上昇する。その結果、ＤＣＤＣコンバータ３５が起動し、駆動系負荷に電力供給が行われる。
【００２９】
一方、起動信号６２がローレベルの場合には、トランジスタ６４はオフ状態となり、フォトカプラ６３のフォトダイオードも非導通状態となる。これにより、フォトカプラ６３のフォトトランジスタもオフ状態となり、ＤＣＤＣコンバータ３５に設けられた起動端子６５の電圧は低下する。その結果、ＤＣＤＣコンバータ３５は動作を停止し、駆動系負荷には電力供給されなくなる。なお、抵抗６７は、フォトカプラ６３のフォトダイオードに流れる電流を制限する電流制限抵抗であり、抵抗６８は、フォトカプラ６３のフォトトランジスタに流れる電流を制限する電流制限抵抗である。
【００３０】
（充電回路）
次に、充電回路３６について説明する。本実施例では、消費電力を削減するため、常夜電源２８の平滑コンデンサ４１には、漏れ電流が少なく、電源効率の改善が見込めるフィルムコンデンサを用いている。ところが、フィルムコンデンサは、非常夜電源２９の平滑コンデンサ６１で使用している電解コンデンサに比べ、静電容量が小さい。そのため、スリープモード以外の消費電力の大きい動作モードであるスタンバイモードやプリントモードでは、安定した電力の供給が懸念される。そこで、常夜電源２８の一次整流平滑回路３０と非常夜電源２９の一次整流平滑回路３４との間に、充電回路３６を設け、常夜電源２８のフィルムコンデンサの容量不足を非常夜電源２９の電解コンデンサが補うことで、上述した課題を解決している。回路構成としては、充電回路３６は、２つのダイオード５８、５９を備えている。第一のダイオードであるダイオード５８は、アノード端子を電解コンデンサを用いた非常夜電源２９の平滑コンデンサ６１の高電位側に接続し、カソード端子をフィルムコンデンサを用いた常夜電源２８の平滑コンデンサ４１の高電位側に接続している。一方、第二のダイオードであるダイオード５９は、アノード端子を常夜電源２８の平滑コンデンサ４１の低電位側に接続し、カソード端子を非常夜電源２９の平滑コンデンサ６１の低電位側に接続している。
【００３１】
［常夜電源の電圧波形］
図４は、常夜電源２８の電圧波形を示す図である。図４において、（ａ）は、常夜電源２８に入力される交流電圧の電圧波形、（ｂ）は、スリープモード時の整流平滑後の電圧波形、（ｃ）は、スタンバイモード時の整流平滑後の電圧波形を示している。なお、(ａ)、（ｂ）、（ｃ）の各図において、縦軸は電圧、横軸は時間を示している。なお、点線で示す電圧波形は、ダイオードブリッジ４０により整流された電圧波形を示している。
【００３２】
次に、動作モードがスリープモード時とスタンバイモード時の場合に分けて、電圧波形について説明する。まず、スリープモード時の電圧波形について説明する。図４(ａ)に示す電圧波形７０は、商用交流電源３８から入力される交流電圧波形である。電圧波形７０の交流電圧が、ダイオードブリッジ４０及び平滑コンデンサ４１によって整流平滑された後の電圧波形が、図４(ｂ)に示すリップル電圧の小さい電圧波形７１である。スリープモード時は、ＤＣＤＣコンバータ３２に接続される制御系負荷の消費電流が充分に小さいので、フィルムコンデンサを用いた平滑コンデンサ４１でも電流供給できるため、リップル電圧の小さい電圧波形７１となる。ここで、充電回路３６を介して非常夜電源２９の平滑コンデンサ６１から平滑コンデンサ４１への充電がない状態で、ＤＣＤＣコンバータ３２に接続された負荷がスリープモードからスタンバイモードに移行したとする。すると、平滑コンデンサ４１のフィルムコンデンサは、平滑コンデンサ６１の電解コンデンサに比べて静電容量が小さいため、図４(ｃ)の電圧波形７２に示すようなリップル電圧の大きな電圧波形となってしまう。リップル電圧が大きくなると、平滑コンデンサ４１から、平滑コンデンサ４１の後段に接続されたＤＣＤＣコンバータ３２へ十分な電圧が供給できなくなり、ＤＣＤＣコンバータ３２は安定した直流電圧を出力できなくなる。
【００３３】
続いて、スタンバイモード時の電圧波形について説明する。動作モードをスリープモードからスタンバイモードに移行する際には、まず、制御部２７は、オン／オフ信号５６により、トライアック５０をオンする。これにより、商用交流電源３８から交流電圧が一次整流平滑回路３４に入力され、平滑コンデンサ６１が充電される。そして、フィルムコンデンサで構成される平滑コンデンサ４１の電圧低下を補うように、充電回路３６を経由して、電解コンデンサで構成される平滑コンデンサ６１から平滑コンデンサ４１へ電力供給される。これにより、スタンバイモード時でも、図４（ｃ）に示す電圧波形７２のようなリップル電圧の発生を低減することができる。その結果、スタンバイモードのように制御系負荷が重くなっても、常夜電源２８の一次整流平滑回路３０の出力電圧は、図４（ｂ）に示すスリープモード時の電圧波形７１のように、リップル電圧の小さい安定した電圧波形となる。
【００３４】
［過電圧からの回路保護］
平滑コンデンサ４１を構成するフィルムコンデンサをはじめ、常夜電源２８を構成する回路部品は、非常夜電源２９を構成する部品よりも高耐圧の特性を有しており、商用交流電源３８から過電圧が印加されても、破損しにくい回路構成となっている。そして、上述したように、常夜電源２８は過電圧検知回路３１を備え、過電圧を検知した場合に制御部２７はオン／オフ信号５６によりトライアック５０を切断し、平滑コンデンサ６１をはじめ、非常夜電源２９を構成する回路部品を過電圧から保護する。そして、制御部２７は、過電圧状態が解除されるまでスリープモードで待機する保護動作を行う。この保護動作により、商用交流電源３８から過電圧が印加されても、本実施例の電源装置１は、回路部品の破損を回避することができる。
【００３５】
図５は、本実施例の商用交流電源３８から電源装置１へ過電圧が印加された場合の電圧波形を示す図である。図５において、（ａ）は、常夜電源２８に入力される交流電圧の電圧波形、（ｂ）は、常夜電源２８の整流平滑後の電圧波形、（ｃ）は、非常夜電源２９の整流平滑後の電圧波形を示している。また、（ｄ）は、過電圧検知回路３１から制御部２７に出力される過電圧検知信号８２の信号波形である。なお、(ａ)〜（ｄ）の各図において、縦軸は電圧、横軸は時間を示している。なお、点線で示す電圧波形は、ダイオードブリッジ４０により整流された電圧波形を示している。
【００３６】
図５(ａ)に示す電圧波形７５は、商用交流電源３８から入力される交流電圧波形であり、タイミング７９で、過電圧状態が発生し、入力電圧が通常時に比べて大きくなっていることが分かる。図５（ｂ）において、電圧波形７６は、商用交流電源３８からの交流電圧を整流平滑した後の電圧波形であり、入力電圧が過電圧状態になることにより、タイミング７９以降の整流平滑後の直流電圧が大きくなっていることが分かる。ここで、所定の電圧である閾値７７は、過電圧検知回路３１のツェナーダイオード４２のツェナー電圧を示している。
【００３７】
商用交流電源３８から入力される交流電圧が過電圧状態になると、常夜電源２８の整流平滑後の電圧が閾値７７で示すツェナー電圧以上（所定の電圧以上）になり、過電圧検知回路３１のツェナーダイオード４２が導通状態となってトランジスタ４４がオンする。これにより、フォトカプラ４５を介して、制御部２７にハイレベルの過電圧検知信号８２（図５（ｄ）の電圧波形８３）が入力される。制御部２７は、過電圧検知信号８２がハイレベルであることを検知すると、オン／オフ信号５６をローレベルに設定して出力し、非常夜電源２９のトライアック５０を切断する。その結果、非常夜電源２９の整流平滑後の電圧は、図５（ｃ）に示す電圧波形７８のように過電圧と判断されたタイミング９４の電圧値を最大値として、それ以降は減少するので、平滑コンデンサ６１の過電圧による破損を回避できる。また、過電圧検知回路３１により過電圧と判断されたタイミング９４以降は、トライアック５０が切断されることにより、商用交流電源３８から非常夜電源２９への交流電圧の供給が遮断され、そのため、平滑コンデンサ６１に充電された電圧は減少する。その結果、充電回路３６を介して常夜電源２８に供給される電圧が減少するため、図５（ｂ）の電圧波形７６に示すように、リップル電圧が増加する。
【００３８】
なお、過電圧が印加されているタイミングであっても、図５（ｂ）に示すように制御系負荷に負荷電流が流れることによって、常夜電源２８の整流平滑後の電圧波形７６の電圧値が閾値７７を下回るタイミングが存在する。その結果、図５（ｄ）の電圧波形８３に示すように、過電圧検知信号８２は、ハイレベル（図５（ｄ）のＨ）とローレベル（図５（ｄ）のＬ）を繰り返すパルス状の波形になる。ここで、過電圧検知信号８２の電圧波形８３がローレベルになったタイミングで、制御部２７がオン／オフ信号５６をハイレベルに設定してトライアック５０を接続し、過電圧保護状態を解除してしまう。すると、再度、平滑コンデンサ６１をはじめ、非常夜電源２９に過電圧が印加されてしまう状態となる。そこで、図５（ｂ）に示す整流平滑後の電圧波形７６が閾値７７の電圧以下になったとしても、本実施例では、商用交流電源３８の電源周波数の少なくとも２周期分以上の間は過電圧保護状態を維持することとする。そして、その２周期分以上の間に再び過電圧を検知することがなければ、過電圧保護状態を解除するように制御することが望ましい。例えば、商用交流電源の電源周波数が５０Ｈｚの場合には、１周期は２０ｍｓｅｃ（ミリ秒）（＝１秒÷５０）である。したがって、電圧波形７６の電圧が閾値７７の電圧以下の状態が４０ｍｓｅｃ（＝２０ｍｓｅｃ×２周期）以上続く（所定の時間以上続く）場合には、過電圧保護状態を解除するように制御する。なお、過電圧保護状態を維持する時間（以下、ガード時間ともいう）は、平滑コンデンサ６１の破壊耐量の範囲であれば、同様の効果が得られる。
【００３９】
続いて、各動作モードにおける過電圧保護動作について説明する。まず、スリープモードの場合について説明する。スリープモードでは、トライアック５０は元々オフ状態で商用交流電源３８との電力供給経路は切断されているため、非常夜電源２９へ過電圧が印加されることはなく、過電圧保護動作を行う必要はない。次に、スタンバイモードの場合について説明する。スタンバイモードでは、トライアック５０がオン状態で商用交流電源３８から交流電圧が入力されているため、平滑コンデンサ６１は充電されるものの、ＤＣＤＣコンバータ３５はオフ状態となっている。この状態で過電圧が検知されると、上述したように制御部２７によりトライアック５０はオフ状態となり、ＤＣＤＣコンバータ３５はオフ状態を継続する。そして、上述したように、平滑コンデンサ６１に蓄積された電荷は、充電回路３６を経由して、常夜電源２８の平滑コンデンサ４１へ充電が行われる。最後に、プリントモードの場合について説明する。プリントモードでは、非常夜電源２９のトライアック５０はオン状態、ＤＣＤＣコンバータ３５も起動された状態となっている。この状態で商用交流電源３８の過電圧が検知されると、制御部２７により、オン／オフ信号５６によりトライアック５０はオフ状態に設定され、起動信号６２によりＤＣＤＣコンバータ３５も動作停止した状態となる。そのため、非常夜電源２９の平滑コンデンサ６１に充電されている電荷は、ＤＣＤＣコンバータ３５からアクチュエータ３７に供給されることはなく、充電回路３６を経由して、平滑コンデンサ６１から常夜電源２８の平滑コンデンサ４１へ充電が行われる。上述したように、スタンバイモード及びプリントモードでは、充電回路３６を備えていない場合と比較して、長時間にわたり、常夜電源２８の出力電圧を維持することができる。
【００４０】
以上説明したように、過電圧検知時に常夜電源２８の出力電圧を長時間維持できるようになると、次のような画像処理の動作に効果的である。例えば、コントローラ８１に内蔵されたハードディスクやメモリ間でデータの送受信が行われている際に、常夜電源２８からの電力供給が即座に断たれると、処理中のデータは消滅し、ハードディスクも破損するおそれがある。本実施例によれば、過電圧検知時であっても常夜電源２８の出力電圧を長時間維持できるので、プリントデータをハードディスクへ退避する等の電源遮断に対応する時間を確保し、データやハード的な破損に対するリスクを低減することができる。
【００４１】
［電源装置の制御シーケンス］
次に、制御部２７による電源装置１、画像形成装置２の制御について説明する。図６は、電源装置１及び電源装置１の動作に関係する画像形成装置２の制御シーケンスを示すフローチャートである。図６に示す処理は、画像形成装置２が商用交流電源３８に接続されると起動され、制御部２７により実行される。
【００４２】
ステップ（以下、Ｓという）１０１では、制御部２７は、過電圧検知回路３１が過電圧を検知し、過電圧検知信号８２がハイレベルかどうか（過電圧検知？）を判断する。制御部２７は、過電圧を検知したと判断した場合には、処理をＳ１１４に進め、過電圧を検知していないと判断した場合には処理をＳ１０２に進める。Ｓ１０２では、制御部２７は、画像形成装置２の電源スイッチ（不図示）がオン状態かどうか（電源ＳＷはＯＮ？）を判断する。制御部２７は、電源スイッチがオン状態であると判断した場合には、タイマ２７ｄをリセット後、スタートさせて、処理をＳ１０３に進め、オン状態ではないと判断した場合には処理をＳ１０１に戻す。
【００４３】
Ｓ１０３では、制御部２７は、動作モードをプリントモードに移行するために、コントローラ８１からプリント命令を受信したかどうかを判断する。制御部２７は、プリント命令を受信したと判断した場合には、処理をＳ１０４に進め、プリント命令を受信していないと判断した場合には処理をＳ１１０に進める。Ｓ１０４では、制御部２７は、画像形成部を駆動するアクチュエータ３７への電力供給を行うために、ハイレベルのオン／オフ信号５６を出力して、非常夜電源２９のトライアック５０を接続する（トライアックＯＮ）。Ｓ１０５では、制御部２７は、ハイレベルの起動信号６２を出力して、非常夜電源２９のＤＣＤＣコンバータ３５を起動し、アクチュエータ３７への電力供給を行う。
【００４４】
Ｓ１０６では、制御部２７は、アクチュエータ３７、プロセスカートリッジ１１、定着装置２１等を駆動して、プリント動作を行う。Ｓ１０７では、制御部２７は、過電圧検知回路３１が過電圧を検知し、過電圧検知信号８２がハイレベルかどうか（過電圧検知？）を判断する。制御部２７は、過電圧を検知したと判断した場合には、処理をＳ１１４に進め、過電圧を検知していないと判断した場合には処理をＳ１０８に進める。Ｓ１０８では、制御部２７は、プリント動作が終了したかどうか（プリント終了？）を判断し、終了していると判断した場合には処理をＳ１０９に進め、終了していないと判断した場合には処理をＳ１０６に戻す。Ｓ１０９では、制御部２７は、プリント動作が終了したので、ローレベルの起動信号６２を出力して、非常夜電源２９のＤＣＤＣコンバータ３５の動作を停止させて（ＤＣＤＣコンバータＯＦＦ）、アクチュエータ３７への電力供給を停止する。制御部２７は、タイマ２７ｄをリセット後スタートさせ、処理をＳ１０３に戻す。
【００４５】
Ｓ１１０では、制御部２７はタイマ２７ｄを参照して、スリープモードに移行するかどうか（スリープモード移行？）を判断する。制御部２７は、所定の時間を経過し、スリープモードに移行すると判断した場合には処理をＳ１１２に進める。一方、制御部２７は、所定の時間を経過しておらず、スリープモードには移行しない（スタンバイモードに移行する）と判断した場合には、処理をＳ１１１に進める。なお、ここでは、制御部２７は、タイマ２７ｄのタイマ値、即ちプリントモードが終了してからの経過時間に基づいて、スリープモードへの移行要否を判断している。例えば、コントローラ８１からの動作モードの移行指示（例えば、スタンバイモードからスリープモードへの移行指示や、スリープモードからスタンバイモードへの移行指示）に応じて、制御部２７は、動作モードを移行させてもよい。
【００４６】
Ｓ１１１では、制御部２７は、ハイレベルのオン／オフ信号５６を出力して、非常夜電源２９のトライアック５０を接続し（トライアックＯＮ）、処理をＳ１１３に進める。Ｓ１１２では、制御部２７は、ローレベルのオン／オフ信号５６を出力して、非常夜電源２９のトライアック５０を切断する（トライアックＯＦＦ）。Ｓ１１３では、制御部２７は、過電圧検知回路３１が過電圧を検知し、過電圧検知信号８２がハイレベルかどうか（過電圧検知？）を判断する。制御部２７は、過電圧を検知したと判断した場合には、処理をＳ１１４に進め、過電圧を検知していないと判断した場合には処理をＳ１０３に戻す。
【００４７】
Ｓ１１４では、制御部２７は、ローレベルの起動信号６２を出力して、非常夜電源２９のＤＣＤＣコンバータ３５の動作を停止させて（ＤＣＤＣコンバータＯＦＦ）、アクチュエータ３７への電力供給を停止する。Ｓ１１５では、制御部２７は、ローレベルのオン／オフ信号５６を出力して、非常夜電源２９のトライアック５０を切断する（トライアックＯＦＦ）。Ｓ１１６では、制御部２７は、過電圧検知信号８２が過電圧を解除するためのガード時間（例えば商用交流電源の２周期分の時間）よりも長い時間、ローレベル状態が継続しているかどうかにより、過電圧解除が可能かどうか（過電圧解除？）を判断する。制御部２７は、過電圧検知信号８２が過電圧を解除するためのガード時間よりも長い時間、ローレベル状態が継続したと判断した場合には、過電圧解除可能と判断して、処理をＳ１０３に戻す。制御部２７は、過電圧検知信号８２が過電圧を解除するためのガード時間以下の場合には過電圧解除不可と判断して、処理をＳ１１６に戻す。
【００４８】
詳細には、制御部２７は、まず、タイマ２７ｄのタイマ値をＲＡＭ２７ｃに格納し、タイマ２７ｄをリセットした後、スタートさせる。次に、制御部２７は、過電圧検知信号８２がハイレベルか、ローレベルかを検知し、ハイレベルであれば、タイマ２７ｄをリセットし、ローレベルであれば、タイマ２７ｄを参照して、過電圧を解除するためのガード時間が経過したかどうかを判断する。制御部２７は、タイマ２７ｄが過電圧を解除するためのガード時間を経過していると判断した場合には、過電圧解除可能と判断して、ＲＡＭ２７ｃに格納したタイマ値をタイマ２７ｄに設定した後に、処理をＳ１０３に戻す。一方、制御部２７は、タイマ２７ｄが過電圧を解除するためのガード時間を経過していないと判断した場合には、上述した過電圧検知信号８２の判断処理に戻る。
【００４９】
以上説明したように、本実施例では過電圧が印加された場合であっても、電源装置１が破損することなく、過電圧状態が解除されるまで商用交流電源から非常夜電源２９への電力供給が遮断される。これにより、プリントデータやハードウェア破損に対するリスクを軽減することができる。更に、動作モードがスリープモードでの電源装置１の消費電力を削減し、スタンバイモード及びプリントモードでの負荷への電力供給を満足させることができる。
【００５０】
以上説明したように、本実施例によれば、安価な構成でスリープ時の消費電力を削減すると共に、商用交流電源からの過電圧が入力されると保護動作を行い、通常電圧に戻ると保護動作から自動復帰することができる。
【実施例２】
【００５１】
実施例１では、常夜電源の整流平滑回路の整流方式は、商用交流電源から入力される交流電圧を全波整流する全波整流方式であった。実施例２では、常夜電源の整流平滑回路が交流電源から入力される交流電圧を半波整流する方式の例について説明する。
【００５２】
［電源装置の回路構成］
図７は、本実施例の電源装置１の回路構成を示す図である。図７において、実施例１の図３に示す電源装置１の回路構成に比べ、一次整流平滑回路３０に対応する常夜電源２８の整流回路８０の回路構成だけが異なっている。本実施例の整流回路８０では、整流方式が、実施例１の全波整流方式から、第三及び第四のダイオードである２つのダイオードによる半波整流方式に変更され、更に、フィルムコンデンサで構成されていた平滑コンデンサ４１は削除されている。その他の回路構成は、実施例１の図３に示す回路構成と同じであり、同じ回路構成には同じ符号を用いることにより、ここでの説明を省略する。
【００５３】
近年、エナジースター等の環境規制において、画像形成装置２の動作モードがスリープモードの場合には、消費電力を１Ｗ未満に抑えることが必須の技術となりつつある。実施例２では、スリープモード時の消費電力を１Ｗ程度の小さい電力と想定する。この消費電力では、常夜電源２８の整流回路８０が、上述した半波整流回路で構成されていても、常夜電源２８は所定の出力電圧を維持することが可能である。
【００５４】
［常夜電源の出力電圧波形］
次に、半波整流方式の整流回路８０で、常夜電源２８の出力電圧に所定の直流電圧を得られる仕組みについて説明する。図８は、本実施例の商用交流電源３８から常夜電源２８へ交流電圧が入力された場合の整流回路８０の電圧波形、及び常夜電源２８のＤＣＤＣコンバータ３２の出力電圧波形を示す図である。図８において、（ａ）は、常夜電源２８に入力される交流電圧の電圧波形、（ｂ）は、整流回路８０により半波整流された後の電圧波形である。（ｃ）、（ｄ）は、動作モードがスリープモード時の常夜電源２８のＤＣＤＣコンバータ３２が制御系負荷に出力する二次側出力電圧の電圧波形を示している。なお、（ｃ）は、制御系負荷が軽負荷の場合の電圧波形であり、（ｄ）は、制御系負荷が重負荷の場合の電圧波形である。なお、(ａ)〜（ｄ）の各図において、縦軸は電圧、横軸は時間を示している。
【００５５】
図８(ａ)に示す電圧波形７０は、商用交流電源３８から入力される交流電圧波形である。電圧波形７０の交流電圧が、整流回路８０により半波整流された電圧波形が、図８（ｂ）に示す電圧波形８４である。電圧波形８４の直流電圧はＤＣＤＣコンバータ３２に入力され、ＤＣＤＣコンバータ３２は電圧波形８４の入力電圧が所定の電圧値（図８（ｂ）の閾値８５）以上で動作を開始し、所定の直流電圧を生成して制御系負荷に出力する。即ち、ＤＣＤＣコンバータ３２は、電圧波形８４の電圧が閾値８５以上である場合に動作し、閾値８５未満である場合には動作を停止する。なお、図８（ｂ）の期間８６は、電圧波形８４の電圧が閾値８５以上の期間を示し、期間８７は、電圧波形８４の電圧が閾値８５未満の期間を示す。
【００５６】
図８（ｃ）に示す電圧波形９１は、常夜電源２８の二次側出力電圧、即ちＤＣＤＣコンバータ３２の出力電圧波形を示している。時刻９２で整流回路８０から出力される電圧波形８４の電圧値が閾値８５になると、ＤＣＤＣコンバータ３２は電圧値８８の直流電圧を出力する。時刻９３で電圧波形８４の電圧値が閾値８５を下回ると、ＤＣＤＣコンバータ３２は動作を停止し、電圧波形９１の電圧値は減少し始める。そして、再び、電圧波形８４の電圧値が閾値８５を超えると、ＤＣＤＣコンバータ３２は起動され、電圧値８８の直流電圧を出力する。
【００５７】
上述したように、期間８７では、ＤＣＤＣコンバータ３２は動作を停止し、電圧波形９１の電圧値は減少する。ＤＣＤＣコンバータ３２が動作を停止してから、再度起動され動作を開始するまでの期間８７での電圧波形９１の電圧の減少値９０は、二次側に設けられた電解コンデンサ（不図示）の容量や、二次側での消費電力に依存する。そのため、二次側に設けられた電解コンデンサの容量は、動作モードがスタンバイモードやプリントモード時の負荷であっても、電圧波形９１のリップル電圧を満足するように設計されている必要がある。本実施例では、動作モードがスリープモードでの負荷の消費電力が１Ｗ程度と小さいため、出力電圧の減少値９０は、軽微な減少量で収まる。そのため、常夜電源２８の出力電圧は設定された所定の直流電圧である電圧８８を得ることができる。
【００５８】
なお、本実施例の常夜電源２８の整流回路８０は、実施例１で説明した図３の常夜電源２８の一次整流平滑回路３０とは異なり、整流方式が全波整流方式から半波整流方式に変更され、更に平滑コンデンサ４１が削除されている。このため、本実施例の常夜電源２８は、実施例１の場合よりも軽い負荷で使用することを想定しているため、制御系負荷が重くなるにつれ、ＤＣＤＣコンバータ３２の出力電圧は低下することになる。図８（ｄ）は、動作モードがスリープモードで、制御系負荷が重負荷時の場合の常夜電源２８の二次側出力電圧、即ちＤＣＤＣコンバータ３２の出力電圧の電圧波形９５を示す図である。電圧波形９５に示すように、負荷が重くなるにつれて、常夜電源２８の出力電圧低下が大きくなり、図８（ｃ）に比べて、リップル電圧が大きくなっていることが分かる。本実施例では、前述したコントローラ８１が、制御系負荷が実施例１よりも低負荷の状態から所定の負荷よりも重い重負荷になったことを検知すると、制御部２７にスリープモードからスタンバイモードに移行する指示を送信する。制御部２７は、移行指示を受信すると、トライアック５０を接続する。これにより、充電回路３６を経由して、電解コンデンサを用いた平滑コンデンサ６１から常夜電源２８の整流回路８０へ電力供給が行われることにより、常夜電源２８の出力電圧が所定の直流電圧である電圧８８となるように制御される。
【００５９】
以上説明したように、本実施例によれば、安価な構成でスリープ時の消費電力を削減すると共に、商用交流電源からの過電圧が入力されると保護動作を行い、通常電圧に戻ると保護動作から自動復帰することができる。特に本実施例では、常夜電源２８の回路構成を実施例１よりも部品点数を削減した構成にすることにより、スリープモード時における漏れ電流を低減することができ、電源装置１の消費電力を更に削減することができる。
【符号の説明】
【００６０】
２７    制御部
２８    常夜電源
２９    非常夜電源
３１    過電圧検知回路
３６    充電回路
５０    トライアック
【図１】
2018057104.tif 000003
【図２】
2018057104.tif 000004
【図３】
2018057104.tif 000005
【図４】
2018057104.tif 000006
【図５】
2018057104.tif 000007
【図６】
2018057104.tif 000008
【図７】
2018057104.tif 000009
【図８】
2018057104.tif 000010